(57)【要約】【課題】  路規模の増大を招くことなく、動画信号に対してリアルタイムに複数通りの画質調整を施し、それらの画質調整結果を一画面に同時に表示できるようにする。【解決手段】  動画信号を１フレーム分ずつ記憶手段１１に格納する書込み処理手段１０と、１フレーム期間毎に、記憶手段１１から、同一の画像を一画面内に複数配置するような順序で画像データを読み出す読出し処理手段１０と、読出し処理手段１０によって読み出された画像データに対して、１フレーム期間毎に、この一画面内の個々の画像毎に異なる画質調整を施す画質調整手段１２とを備える。【選択図】  図２
2006345309.tif 000002
【特許請求の範囲】
【請求項１】
動画信号を１フレーム分ずつ記憶手段に格納する書込み処理手段と、
１フレーム期間毎に、前記記憶手段から、同一の画像を一画面内に複数配置するような順序で画像データを読み出す読出し処理手段と、
前記読出し処理手段によって読み出された画像データに対して、１フレーム期間毎に、前記一画面内の個々の画像の位置毎に異なる画質調整を施す画質調整手段と
を備えたことを特徴とする画質調整装置。
【請求項２】
請求項１に記載の画質調整装置において、
一画面内における同一画像の複数の表示位置を指定する位置制御信号を生成する手段と、
前記画質調整手段に画質調整のための処理パラメータを同時に複数通り供給する手段と
を備えており、
前記読出し処理手段は、前記位置制御信号に基づいて画像データの読出しを行い、
前記画質調整手段は、前記複数通りの処理パラメータの中から、前記位置制御信号によって指定された位置に応じた処理パラメータを選択して画質調整を施す
ことを特徴とする画質調整装置。
【請求項３】
請求項１に記載の画質調整装置において、
静止画データを動画信号に変換する変換手段
をさらに備えており、
前記変換手段によって変換された動画信号が前記書込み処理手段によって前記記憶手段に格納される
ことを特徴とする画質調整装置。
【請求項４】
請求項１に記載の画質調整装置において、
外部から供給される動画信号が前記書込み処理手段によって前記記憶手段に格納される
ことを特徴とする画質調整装置。
【請求項５】
請求項１に記載の画質調整装置において、
画質評価用の画像信号を生成する生成手段
をさらに備えており、
前記生成手段によって生成された画像信号が前記書込み処理手段によって前記記憶手段に格納される
ことを特徴とする画質調整装置。
【請求項６】
請求項１に記載の画質調整装置において、
前記画質調整手段によって画質調整を施された画像データに対して、前記一画面から画像を選択するユーザインターフェイスのためのグラフィック信号を合成する手段
をさらに備えたことを特徴とする画質調整装置。
【請求項７】
動画信号を１フレーム分ずつ記憶手段に格納する第１のステップと、
１フレーム期間毎に、前記記憶手段から、同一の画像を一画面内に複数配置するような順序で画像データを読み出す第２のステップと、
前記第２のステップによって読み出した画像データに対して、単一の画質調整手段により、１フレーム期間毎に、前記一画面内の個々の画像の位置毎に異なる画質調整を施す第３のステップと
を有することを特徴とする画質調整方法。
【請求項８】
動画信号を表示デバイスに表示する画像表示装置において、
前記動画信号を１フレーム分ずつ記憶手段に格納する書込み処理手段と、
１フレーム期間毎に、前記記憶手段から、同一の画像を一画面内に複数配置するような順序で画像データを読み出す読出し処理手段と、
前記読出し処理手段によって読み出された画像データに対して、１フレーム期間毎に、前記一画面内の個々の画像の位置毎に異なる画質調整を施す画質調整手段と
を備え、
前記画質調整手段によって画質調整を施された画像データが前記表示デバイスに供給されるようにしたことを特徴とする画像表示装置。
【発明の詳細な説明】
【技術分野】
【０００１】
本発明は、動画信号に対してリアルタイムに複数通りの画質調整を施し、それらの画質調整結果を一画面に同時に表示できるようにした画質調整装置，画質調整方法及び画像表示装置に関し、特に、回路規模の小型化を図ったものに関する。
【背景技術】
【０００２】
従来、テレビジョン受像機のように動画像を表示する画像表示装置に設けられる画像調整装置としては、例えば、ユーザがオンスクリーンディスプレイによって画像の明るさ，コントラスト，色相，シャープネス等の処理パラメータをそれぞれ所望の１つのレベルに調整する操作を行い、その操作に応じて画質を調整した１つの画像を表示するようにしたものが提案されていた（例えば、特許文献１参照。）。
【０００３】
また、複数の画質調整ユニットを設け、動画信号に対してそれらの画質調整ユニットでリアルタイムに複数通りの画質調整を行い、それらの画質調整結果を一画面に同時に表示するようにしたものも提案されていた（例えば、特許文献２参照。）。
【０００４】
【特許文献１】特開平９−１７２５８３号公報（段落番号００２１〜００２２、図３）
【特許文献２】特開２００１−１１９６４４号公報（段落番号００８３〜００９６、図２）
【発明の開示】
【発明が解決しようとする課題】
【０００５】
上記特許文献１に記載の技術では、一度に１つの画像だけが表示されるので、ユーザは、その画像の画質を絶対的に評価して最適な画質を選択せざるを得ない。互いに画質の異なる複数の画像を同時に見比べて画質を選択するようなことはできなかった。
【０００６】
これに対し、上記特許文献２に記載の技術では、互いに画質の異なる複数の画像を同時に見比べて画質を選択することが可能である。しかし、複数の画質調整ユニットを設ける必要があるので、ハードウェア回路の規模が増大するという問題があった。
【０００７】
本発明は、上述の点に鑑み、回路規模の増大を招くことなく、動画信号に対してリアルタイムに複数通りの画質調整を施し、それらの画質調整結果を一画面に同時に表示できるようにすることを課題としてなされたものである。
【課題を解決するための手段】
【０００８】
この課題を解決するために、本発明に係る画質調整装置は、動画信号を１フレーム分ずつ記憶手段に格納する書込み処理手段と、１フレーム期間毎に、この記憶手段から、同一の画像を一画面内に複数配置するような順序で画像データを読み出す読出し処理手段と、この読出し処理手段によって読み出された画像データに対して、１フレーム期間毎に、この一画面内の個々の画像毎に異なる画質調整を施す画質調整手段とを備えたことを特徴とする。
【０００９】
この画質調整装置では、動画信号が、書込み処理手段によって１フレーム分ずつ記憶手段に格納される。そして、読出し処理手段により、１フレーム期間毎に、同一の画像を一画面内に複数配置するような順序でこの記憶手段から画像データが読み出される。すなわち、元の動画信号が、その動画信号の画像を一画面内に複数表示するような内容の動画信号に変換して読み出される。
【００１０】
そして、この読み出された動画信号に対して、画質調整手段により、１フレーム期間毎に、この一画面内の個々の画像の位置毎に異なる画質調整が施される。
【００１１】
このように、この画質調整装置によれば、動画信号が、リアルタイムに、同一の画像を一画面内に複数表示するような内容の動画信号に変換されて、単一の画質調整手段によってこの一画面内の個々の画像の位置毎に異なる画質調整が施される。
【００１２】
これにより、回路規模の増大を招くことなく、動画信号に対してリアルタイムに複数通りの画質調整を施し、それらの画質調整結果を一画面に同時に表示することができる。
【００１３】
なお、読出し処理手段が読出し順序を決定したり画質調整手段が画質の切換えを行うためのより具体的な手法としては、一例として、一画面内における同一画像の複数の表示位置を指定する位置制御信号を生成する手段と、画質調整手段に画質調整のための処理パラメータを同時に複数通り供給する手段とを備え、読出し処理手段は、この位置制御信号に基づいて画像データの読出しを行い、画質調整手段は、これらの複数通りの処理パラメータの中から、この位置制御信号によって指定された位置に応じた処理パラメータを選択して画質調整を施すようにすることが好適である。
【００１４】
また、この画質調整装置において、一例として、静止画データを動画信号に変換する変換手段をさらに備え、この変換手段によって変換された動画信号が書込み処理手段によって記憶手段に格納されるようにすることが好適である。
【００１５】
それにより、静止画データに対しても、動画信号に変換してリアルタイムに複数通りの画質調整を施し、それらの画質調整結果を一画面に同時に表示することができるようになる。
【００１６】
また、この画質調整装置において、一例として、外部から供給される動画信号が書込み処理手段によって記憶手段に格納されるようにすることが好適である。
【００１７】
それにより、外部から供給される動画信号に対してリアルタイムに複数通りの画質調整を施し、それらの画質調整結果を一画面に同時に表示することができるようになる。
【００１８】
また、この画質調整装置において、一例として、画質評価用の画像信号を生成する生成手段をさらに備え、この生成手段によって生成された画像信号が書込み処理手段によって記憶手段に格納されるようにすることが好適である。
【００１９】
それにより、外部から動画信号が供給されない状態でも、内部で生成した画質評価用の画像信号に対してリアルタイムに複数通りの画質調整を施し、それらの画質調整結果を一画面に同時に表示することができるようになる。
【００２０】
また、この画質調整装置において、一例として、画質調整手段によって画質調整を施された画像データに対して、一画面から画像を選択するユーザインターフェイスのためのグラフィック信号を合成する手段をさらに備えることが好適である。
【００２１】
それにより、画質調整結果を見たユーザが、画質を選択する操作を容易に行うことができるようになる。
【００２２】
次に、本発明に係る画質調整方法は、動画信号を１フレーム分ずつ記憶手段に格納する第１のステップと、１フレーム期間毎に、この記憶手段から、同一の画像を一画面内に複数配置するような順序で画像データを読み出す第２のステップと、この第２のステップによって読み出した画像データに対して、単一の画質調整手段により、１フレーム期間毎に、この一画面内の個々の画像の位置毎に異なる画質調整を施す第３のステップとを有することを特徴とする。
【００２３】
この画質調整方法によれば、動画信号を、リアルタイムに、同一の画像を一画面内に複数表示するような内容の動画信号に変換して、単一の画質調整手段によってこの一画面内の個々の画像の位置毎に異なる画質調整を施す。これにより、回路規模の増大を招くことなく、動画信号に対してリアルタイムに複数通りの画質調整を施し、それらの画質調整結果を一画面に同時に表示することができる。
【００２４】
次に、本発明に係る画像表示装置は、動画信号を表示デバイスに表示する画像表示装置において、この動画信号を１フレーム分ずつ記憶手段に格納する書込み処理手段と、１フレーム期間毎に、この記憶手段から、同一の画像を一画面内に複数配置するような順序で画像データを読み出す読出し処理手段と、この読出し処理手段によって読み出された画像データに対して、１フレーム期間毎に、この一画面内の個々の画像の位置毎に異なる画質調整を施す画質調整手段とを備え、この画質調整手段によって画質調整を施された画像データが表示デバイスに供給されるようにしたことを特徴とする。
【００２５】
この画像表示装置によれば、回路規模の増大を招くことなく、動画信号に対してリアルタイムに複数通りの画質調整を施し、それらの画質調整結果を表示デバイスの一画面に同時に表示することができる。
【発明の効果】
【００２６】
本発明によれば、回路規模の増大を招くことなく、動画信号に対してリアルタイムに複数通りの画質調整を施し、それらの画質調整結果を一画面に同時に表示することができるという効果が得られる。
【発明を実施するための最良の形態】
【００２７】
次に、本発明の実施形態を、図面を用いて具体的に説明する。なお、以下では、テレビジョン受像機に本発明を適用した例について説明することにする。
【００２８】
図１は、本発明を適用するテレビジョン受像機における画質調整のためのシステムの全体構成を示すブロック図である。図示しないデジタル放送用のチューナーで周波数選択，復調，パケット分離，デコード等の処理を施されたデジタルコンポーネント信号ＹＣｂＣｒが、２入力１出力のセレクタ９ａの一方の入力端に入力される。また、図示しない同期分離回路によってこのデジタルコンポーネント信号ＹＣｂＣｒから分離された水平同期信号ＨＳ及び垂直同期信号ＶＳが、２入力１出力のセレクタ９ｂの一方の入力端に入力される。
【００２９】
また、静止画メモリ４に保存されている静止画データ（例えばデジタルカメラ等で撮影された静止画データ）が、動画変換部５によって１フレーム毎に繰り返し読み出されて動画信号に変換されるとともに、そのフレームにタイミングを合わせた水平同期信号及び垂直同期信号が動画変換部５によって生成される。例えば小型メモリカードのスロットを有するテレビジョン受像機では、そのスロットに装着された小型メモリカードがこの静止画メモリ４に該当する。
【００３０】
動画変換部５によって動画変換された静止画データは、セレクタ９ａの残りの一方の入力端に入力される。動画変換部５によって生成された水平同期信号及び垂直同期信号は、セレクタ９ｂの残りの一方の入力端に入力される。
【００３１】
セレクタ９ａ及び９ｂは、ＣＰＵ６の制御の元で、互いに連動した選択動作を行う。すなわち、セレクタ９ａがチューナーからのデジタルコンポーネント信号ＹＣｂＣｒを選択するときには、セレクタ９ｂが同期分離回路からの水平同期信号ＨＳ及び垂直同期信号ＶＳを選択し、セレクタ９ａが動画変換部５からの動画変換された静止画データを選択するときには、セレクタ９ｂが動画変換部５からの水平同期信号及び垂直同期信号を選択する。
【００３２】
ＣＰＵ６は、メモリ（ＲＯＭ及びＲＡＭ）７に対してプログラムの読出しやデータの一時的な書込みを行いながら、このテレビジョン受像機内の各部を制御するプロセッサである。ＣＰＵ６には、このテレビジョン受像機に付属したリモートコントローラ８から送信された信号が、テレビジョン受像機内の赤外線受光ユニット（図示略）を介して供給される。
【００３３】
セレクタ９ａによって選択された動画信号は、画像処理部１に入力される。画像処理部１は、同一の動画信号に対してリアルタイムに複数通りの画質調整を施すための回路である。
【００３４】
セレクタ９ｂによって選択された同期信号は、タイミング生成部３に入力される。タイミング生成部３は、入力された同期信号に基づき、一画面内における同一画像の複数の表示位置を指定する信号（位置制御信号）を生成して画像処理部１に供給する回路である。
【００３５】
図２は、画像処理部１の構成を示すブロック図である。画像処理部１は、入出力メモリ制御部１０，フレームメモリ１１，分割画質処理部１２及びグラフィック処理部１３から成っている。
【００３６】
入出力メモリ制御部１０は、画像処理部１に入力される動画信号を、図１のＣＰＵ６から画像縮小処理のために供給される処理パラメータに基づいて縮小して、１フレーム分ずつフレームメモリ１１に書き込む。ＣＰＵ６からは、入力される動画信号の解像度（例えば７２０×４７０）に対する縮小後の解像度を、後出の図４の画面内の個々の画像のサイズに応じて決定する処理パラメータが、入出力メモリ制御部１０に供給される。
【００３７】
また、入出力メモリ制御部１０は、フレームメモリ１１に１フレーム分の画像データを書き込んだ以降、１フレーム期間毎に、図１のタイミング生成部３から供給される位置制御信号に基づいてフレームメモリ１１から画像データを読み出す。
【００３８】
ここで、タイミング生成部３が生成する位置制御信号について説明する。図３は、タイミング生成部３が生成する位置制御信号を示す。また、図４は、この位置制御信号によって図１の表示装置２に表示させようとする分割画面（同一の画像を一画面内に複数配置する画面）を示す。
【００３９】
図４のように、一画面内の垂直方向の範囲Ａに、同一の画像を水平方向の範囲Ｂ，Ｃに２つ並べて表示させようとする場合、タイミング生成部３は、ＣＰＵ６の制御のもとで、図３（ａ）に示すように、垂直同期信号によって示される１フレーム期間毎に、図４の範囲Ａに相当する期間を特定する垂直制御パルスを生成するとともに、図３（ｂ）に示すように、水平同期信号によって示される１ライン期間毎に、図４の範囲Ｂに相当する期間を特定する水平制御パルス１と、図４の範囲Ｃに相当する期間を特定する水平制御パルス２とを生成する。
【００４０】
そして、タイミング生成部３は、この図３（ａ）の垂直制御パルスと図３（ｂ）の水平制御パルス１，水平制御パルス２との合計３つのパルスを、位置制御信号として画像処理部１の入出力メモリ制御部１０及び分割画質処理部１２に供給する。
【００４１】
図５は、この位置制御信号（垂直制御パルス，水平制御パルス１及び水平制御パルス２）に基づく入出力メモリ制御部１０の読出し動作を示す図である。入出力メモリ制御部１０は、１フレーム期間毎に、垂直制御パルスによって特定される期間（図の期間Ａ）内の、水平制御パルス１によって特定される期間（図の期間Ｂ）と水平制御パルス２によって特定される期間（図の期間Ｃ）とに、同じ水平ラインの画像データを２度ずつ繰り返して読み出していく。すなわち、期間Ａ内の１水平期間目には、期間Ｂ，Ｃに１ライン目の画像データを２度繰り返して読み出し、期間Ａ内の２水平期間目には、期間Ｂ，Ｃに２ライン目の画像データを２度繰り返して読み出し、期間Ａ内の３水平期間目には、期間Ｂ，Ｃに３ライン目の画像データを２度繰り返して読み出し…、という読出し動作を行う。
【００４２】
このようにして、入出力メモリ制御部１０は、単純に１ライン目のデータ，２ライン目のデータ，３ライン目のデータ…をシーケンシャルにフレームメモリ１１から読み出すのではなく、図４の分割画面を形成するような順序（同一の画像を一画面内に２つ配置するような順序）でフレームメモリ１１から画像データを読み出す。すなわち、元の動画信号を、その動画信号の画像を一画面内に２つ表示するような内容の動画信号に変換して読み出す。
【００４３】
図２に示すように、入出力メモリ制御部１０によって読み出された動画信号は、分割画質処理部１２に入力される。分割画質処理部１２は、図４の分割画面内の同一の２つの画像に対して、互いに異なる画質調整を施すための回路である。
【００４４】
図６は、この分割画質処理部１２の構成を示すブロック図である。分割画質処理部１２は、位置制御デコード部１６，３入力１出力のセレクタ１７及び画質処理部１８から成っている。
【００４５】
画質処理部１８は、入力される動画信号に対して、供給される処理パラメータに応じて明るさ処理，コントラスト処理，色相処理，彩度処理，シャープネス処理といった画質調整処理を施す単一の回路である。
【００４６】
図１のＣＰＵ６からは、常時、これらの画質調整処理を或るレベルで実行させるパラメータ（処理パラメータ１）と、これらの画質調整処理を処理パラメータ１とは別のレベルで実行させる（例えば明るさについては処理パラメータ１よりも暗めにする）パラメータ（処理パラメータ２）と、これらの画質調整処理を全く行わせないパラメータ（処理なしパラメータ）という３通りのパラメータが、セレクタ１７に同時に供給される。
【００４７】
位置制御デコード部１６には、図１のタイミング生成部３から位置制御信号（図３の垂直制御パルス，水平制御パルス１及び水平制御パルス２）が供給される。位置制御デコード部１６は、この位置制御信号に基づき、１フレーム期間毎に、図４の分割画面に２つ並んだ同一画像のうちの左側の画像の表示期間には処理パラメータ１を選択させ、この分割画面に２つ並んだ同一画像のうちの右側の画像の表示期間には処理パラメータ２を選択させ、この分割画面の残りの部分（画像が表示されない背景部分）の表示期間には処理なしパラメータを選択させる制御信号を、セレクタ１７に与える。そして、この制御信号に従ってセレクタ１７によって選択されたパラメータが、画質処理部１８に供給される。
【００４８】
これにより、画質処理部１８では、入力される動画信号に対して、１フレーム期間毎に、図４の分割画面内の２つの画像の位置で互いに異なる画質調整が施される。
【００４９】
画質処理部１８によって画質調整を施された動画信号は、図２に示すように、分割画質処理部１２から出力されて、グラフィック処理部１３に入力される。グラフィック処理部１３は、ＣＰＵ６から供給される処理パラメータに基づき、動画信号に対して、図４の分割画面から画像を選択するユーザインターフェイスのためのグラフィック信号を合成する回路である。
【００５０】
図７は、グラフィック処理部１３によって合成されるグラフィック信号の一例を示す図である。この例では、図１のリモートコントローラ８の左右キーを使用して画像を選択させるための矢印や、『好みの画面を選択してください』の文字や、選択したほうの画像を囲む枠（例えば緑色の枠）が合成される。
【００５１】
グラフィック処理部１３によってグラフィック信号を合成された動画信号は、図１に示すように、画像処理部１から出力されて、表示装置２（例えばＬＣＤを表示デバイスとする表示装置では、ＬＣＤを駆動する駆動回路）に供給される。
【００５２】
このように、このテレビジョン受像機では、テレビジョン放送局から受信したテレビジョン信号や、小型メモリカード等の静止画メモリに格納された静止画データを動画変換した信号が、リアルタイムに、同一の画像を一画面内に複数（２つ）表示するような内容の動画信号に変換され、単一の画質調整手段（図２の分割画質処理部１２）によってこの一画面内の個々の画像の位置毎に異なる画質調整が施されて、表示デバイスに表示される。
【００５３】
これにより、回路規模の増大を招くことなく、動画信号に対してリアルタイムに複数通り（２通り）の画質調整を施し、それらの画質調整結果を一画面に同時に表示することができる。
【００５４】
そして、この画質調整結果を見たユーザが、図７に示したようなユーザインターフェイスにより、画質を選択する操作を容易に行うことができる。
【００５５】
次に、画像処理部１の別の構成例について説明する。図８は、画像処理部１の別の構成例を示すブロック図であり、図２と共通する部分には同一符号を付している。この例では、画像処理部１内にテスト信号生成部１９が追加されている。図１のメモリ７には、画質評価用の静止画データであるテスト信号データ（例えばカラーバー，カラーチャート等のデータ）が格納されている。テスト信号生成部１９には、そのテスト信号データがＣＰＵ６から供給される（ＣＰＵ６からは、ＹＣｂＣｒ空間の信号であるかＲＧＢ空間の信号であるかを指定する信号情報も併せて供給される）。
【００５６】
テスト信号生成部１９は、この信号情報に従ってこのテスト信号データから１フレーム分の画像信号を生成するとともに、図１のタイミング生成部３が生成するのと同様の位置制御信号（図３，図４参照）を生成する回路である。
【００５７】
テスト信号生成部１９によって生成された画像信号，位置制御信号は、それぞれ２入力１出力のセレクタ２０，２１の一方の入力端に入力される。セレクタ２０の残りの一方の入力端には、図１のセレクタ９ａからの動画信号が入力され、セレクタ２１の残りの一方の入力端には、タイミング生成部３からの位置制御信号が入力される。
【００５８】
セレクタ２０及び２１は、ＣＰＵ６の制御の元で、互いに連動した選択動作を行う（ＣＰＵ６からの制御信号は図示を省略している）。すなわち、セレクタ２０がテスト信号生成部１９からの画像信号を選択するときには、セレクタ２１がテスト信号生成部１９からの位置制御信号を選択し、セレクタ２０がセレクタ９ａからの動画信号を選択するときには、セレクタ２１がタイミング生成部３からの位置制御信号を選択する。
【００５９】
セレクタ２０によって選択された信号は、入出力メモリ制御部１０に供給される。セレクタ２１によって選択された位置制御信号は、入出力メモリ制御部１０及び分割画質処理部１２に供給される。
【００６０】
入出力メモリ制御部１０は、セレクタ２０がテスト信号生成部１９からの１フレーム分の画像信号を選択したときには、その１フレーム分の画像信号を縮小してフレームメモリ１１に書き込む。そして、セレクタ２１からの位置制御信号（テスト信号生成部１９によって生成された位置制御信号）に基づき、図５に示したのと同様にして、１フレーム期間毎に、フレームメモリ１１からその画像データを繰り返し読み出す。
【００６１】
この図８の例によれば、テレビジョン信号を受信していない状態でも、内部で生成した画質評価用の画像信号に対してリアルタイムに複数通りの画質調整を施し、それらの画質調整結果を一画面に同時に表示することができる。
【００６２】
なお、以上の例では、画像処理部１に動画信号としてＹＣｂＣｒ空間の信号が入力されるようにしているが、これに限らず、ＲＧＢ空間の信号が画像処理部１に入力されるようにしてもよい。
【００６３】
また、以上の例では、動画信号に対してリアルタイムに２通りの画質調整を施してそれらの画質調整結果を一画面に同時に表示している。しかし、これに限らず、動画信号に対してリアルタイムに３通り以上の画質調整を施してそれらの画質調整結果を一画面に同時に表示するようにしてもよい。その場合には、同時に表示する画像の数に応じて、図３の垂直制御パルスや水平制御パルスのチャンネル数を増やすとともに、ＣＰＵ６から分割画質処理部１２に同時に供給する処理パラメータのチャンネル数を増やすようにすればよい。図９は、一画面内に、同一の画像を４つ並べて表示する例（図４に示した分割画面の別の例）を示す。
【００６４】
また、以上の例では、テレビジョン受像機に本発明を適用しているが、テレビジョン受像機以外の画像表示装置（例えば、パーソナルコンピュータ用のモニターや、コンピュータグラフィックスを表示する表示装置）や、画像表示装置以外の装置であって動画を処理するもの（例えばテレビジョン番組の録画装置）にも本発明を適用することができる。
【図面の簡単な説明】
【００６５】
【図１】本発明を適用するテレビジョン受像機における画質調整のためのシステムの全体構成を示すブロック図である。
【図２】図１の画像処理部の構成例を示すブロック図である。
【図３】位置制御信号を示す図である。
【図４】分割画面を示す図である。
【図５】位置制御信号に基づく図２の入出力メモリ制御部の読出し動作を示す図である。
【図６】図２の分割画質処理部の構成を示すブロック図である。
【図７】図２のグラフィック処理部によって合成されるグラフィック信号の一例を示す図である。
【図８】図１の画像処理部の別の構成例を示すブロック図である。
【図９】分割画面の別の例を示す図である。
【符号の説明】
【００６６】
１  画像処理部、  ２  表示装置、  ３  タイミング生成部、  ４  静止画メモリ、  ５  動画変換部、  ６  ＣＰＵ、  ７  メモリ、  ８  リモートコントローラ、  ９ａ，９ｂ  セレクタ、  １０  入出力メモリ制御部、  １１  フレームメモリ、  １２  分割画質処理部、  １３  グラフィック処理部、  １６  位置制御デコード部  １７  セレクタ、  １８  画質処理部、  １９  テスト信号生成部、  ２０，２１  セレクタ
【図１】
2006345309.tif 000003
【図２】
2006345309.tif 000004
【図３】
2006345309.tif 000005
【図４】
2006345309.tif 000006
【図５】
2006345309.tif 000007
【図６】
2006345309.tif 000008
【図７】
2006345309.tif 000009
【図８】
2006345309.tif 000010
【図９】
2006345309.tif 000011